(57)【要約】【課題】シート状原稿又はブック状原稿の高速読み取りと高精度読み取りを可能にすると共に、装置サイズの小型化を可能とする画像読取装置を提供する。【解決手段】給紙トレイ４上の原稿を所定の読取位置ＲＰに経由させて排紙トレイ６、３０上に搬送する原稿搬送手段２と、原稿搬送手段２により搬送される移動原稿を読み取るライン読取手段１８と、給紙トレイ又は排紙トレイの何れか一方の下方に配置され、静止原稿を読み取る際に原稿を載置するための原稿載置台１６と、原稿載置台１６の上方に配置された給紙トレイ又は排紙トレイと原稿載置台の間に配置され、原稿載置台の上に載置された静止原稿を上方から読み取るエリア読取手段７と、を備える。【選択図】図１
2008258736.tif 000002
【特許請求の範囲】
【請求項１】
給紙トレイ上の原稿を所定の読取位置を経由させて排紙トレイ上に搬送する原稿搬送手段と、
前記原稿搬送手段により搬送される移動原稿を読み取るライン読取手段と、
前記給紙トレイ又は前記排紙トレイの何れか一方の下方に配置され、静止原稿を読み取る際に原稿を載置するための原稿載置台と、
前記原稿載置台の上方に配置された前記給紙トレイ又は前記排紙トレイと前記原稿載置台の間に配置され、前記原稿載置台の上に載置された静止原稿を上方から読み取るエリア読取手段と、を備えたことを特徴とする画像読取装置。
【請求項２】
前記排紙トレイは、前記給紙トレイの下方に配置され、
前記原稿載置台は、前記排紙トレイの下方に配置され、
前記エリア読取手段は、前記原稿載置台と前記排紙トレイとの間に配置された、ことを特徴とする請求項１に記載の画像読取装置。
【請求項３】
給紙トレイ上の原稿を所定の読取位置を経由させて排紙トレイ上に搬送する原稿搬送手段と、
前記原稿搬送手段により搬送される移動原稿を読み取るライン読取手段と、
前記給紙トレイの下方に配置され、前記ライン読取手段により読み取られた原稿が排紙される排紙トレイと、
原稿載置台の上に載置された静止原稿を上方から読み取るエリア読取手段と、を備え、
前記排紙トレイが前記原稿載置台を兼ね、
前記エリア読取手段は前記給紙トレイと前記排紙トレイとの間に配置されていることを特徴とする画像読取装置。
【請求項４】
前記原稿搬送手段により搬送される原稿の裏面を読み取る場合には、前記エリア読取手段が当該原稿の裏面を読み取ることを特徴とする請求項３に記載の画像読取装置。
【請求項５】
前記エリア読取手段は、原稿を複数の領域に分割して読み取る複数のエリアセンサによって構成されていることを特徴とする請求項１又は３に記載の画像読取装置。
【請求項６】
前記原稿搬送手段の下方に配置された前記原稿載置台の側方には、前記ライン読取手段を収容する収容部が前記原稿載置台上のブック原稿収容部とは別に形成されていることを特徴とする請求項２又は３に記載の画像読取装置。
【請求項７】
前記排紙トレイの少なくとも一部には前記原稿載置台上の原稿を確認するための開口部が形成されていることを特徴とする請求項２に記載の画像読取装置。
【請求項８】
前記原稿載置台上に載置された原稿を上方から押さえるための押圧部材を、さらに備えることを特徴とする請求項１又は３に記載の画像読取装置。
【発明の詳細な説明】
【技術分野】
【０００１】
本発明は、原稿搬送装置（以下、適宜「ＡＤＦ」という）により搬送される移動原稿を読み取る移動原稿読取モードと原稿載置台の上に載置された原稿を読み取る静止原稿読取モードとを有する画像読取装置に関する。
【背景技術】
【０００２】
複写機やファクシミリ装置等に搭載される画像読取装置は、原稿の高速読取及び高精度読取の要求と共に、装置の小型化が求められるようになってきている。
【０００３】
このため、原稿を比較的高速度で読み取る場合には、ＡＤＦにより搬送される移動原稿を所定の読取位置に待機するラインセンサが読み取り（移動原稿読取モード）、一方、原稿を高精度に読み取る場合には、プラテンの上に載置された原稿をラインセンサが移動しつつ読み取る（静止原稿読取モード）ようにした、２つの原稿読取モードを備えた画像読取装置が広く知られている（例えば、特許文献１を参照）。
【０００４】
また、画像の高速読取モードと高精度読取モードを有する技術として、原稿の２次元画像データを高速度に取得するためのエリアセンサと、原稿を主走査方向にスキャニングすることにより一次元データを連続的に取得して高解像度の画像データを得るためのラインセンサと、を備えたスキャナ装置も知られている。このような装置の特殊な例として、フィルム原稿を高精細に読み取る場合は、搬送されるフィルム原稿をラインセンサで読み取り、高速度に読み取る場合には、静止させたフィルム原稿をエリアセンサで読み取るようにしたフィルムスキャナが知られている（例えば、特許文献２を参照）。
【特許文献１】特開２００４−５４０３０号公報
【特許文献２】特開２０００−１３５５３号公報
【発明の開示】
【発明が解決しようとする課題】
【０００５】
しかし、特許文献１に記載の画像読取装置では、プラテンの下方には、原稿をスキャニングする走査ユニットを移動させるためのスペースが必要となることから、画像読取装置の小型化には限界があった。また、このような従来の画像読取装置においては、プラテン上に原稿（本のように閉じられたブック原稿を含む）をプラテン面に伏せて載置する必要があったため、操作者は原稿の読取面を目視することができず、原稿読み取り操作時における操作性において問題があった。
【０００６】
また、特許文献２に記載のフィルムスキャナは、現像された一定サイズの連続するコマフィルムをその裏面側から光を通過させて読み取るものであって、給紙トレイ上に積み重ねられた複数枚のシート紙をＡＤＦにより一枚ずつ繰り出して読み取ると共にブック原稿の読取面に光を当ててその反射光を読み取ろうとする本画像読取装置とは、その基本的な装置構成を著しく相違する。
【０００７】
本願発明の目的は、複写機やファクシミリ装置等に搭載され使用される画像読取装置であって、シート状原稿の高精度読み取り又は高速度読み取りと、ブック状原稿の高速読み取りを可能にすると共に、装置サイズの小型化を可能とする画像読取装置を提供することにある。
【課題を解決するための手段】
【０００８】
このため、本発明に係る画像読取装置は、その第１の態様として、給紙トレイ上の原稿を所定の読取位置に経由させて排紙トレイ上に搬送する原稿搬送手段と、前記原稿搬送手段により搬送される移動原稿を読み取るライン読取手段と、前記給紙トレイ又は前記排紙トレイの何れか一方の下方に配置され、静止原稿を読み取る際に原稿を載置するための原稿載置台と、前記原稿載置台の上方に配置された前記給紙トレイ又は前記排紙トレイと前記原稿載置台の間に配置され、前記原稿載置台の上に載置された静止原稿を上方から読み取るエリア読取手段と、を備えたことを特徴とするものである。
【０００９】
このように、本画像読取装置は、原稿の高速読み取りが可能なエリアセンサと原稿の高精度読み取りが可能なラインセンサと、を備え、これらの読取手段と原稿載置台とを適正配置することにより、原稿の高速読取と高精度読取、そして装置の小型化を可能にしたのである。尚、特許文献１に記載の画像読取装置では、原稿を比較的高速度で読み取る場合には移動原稿読取モードで読み取り、原稿を高精度に読み取る場合には静止原稿読取モードで読み取るようにしており、本画像読取装置とは逆であるが、本画像読取装置における移動原稿読取モードでは、ＡＤＦによる原稿搬送速度を調整することにより高精度読み取りを可能にしている。
【００１０】
ここで、前記排紙トレイは前記給紙トレイの下方に配置され、また、前記原稿載置台は前記排紙トレイの下方に配置され、そして、前記エリア読取手段は前記原稿載置台と前記排紙トレイとの間に配置されるのである。
【００１１】
また、本発明は、その第２の態様として、給紙トレイ上の原稿を所定の読取位置を経由させて排紙トレイ上に搬送する原稿搬送手段と、前記原稿搬送手段により搬送される移動原稿を読み取るライン読取手段と、前記給紙トレイの下方に配置され、前記ライン読取手段により読み取られた原稿が排紙される排紙トレイと、原稿載置台の上に載置された静止原稿を上方から読み取るエリア読取手段と、を備え、前記排紙トレイが前記原稿載置台を兼ね、前記エリア読取手段は前記給紙トレイと前記排紙トレイとの間に配置されていることを特徴とする画像読取装置を提供するものである。
【００１２】
そして、本画像読取装置においては、原稿搬送手段により搬送される原稿の裏面を読み取る場合には、前記エリ読取手段が当該原稿の裏面を読み取るようにすることにより、原稿の両面読取モードを具備させることが可能である。
【００１３】
ところで、前記エリア読取手段は、原稿を複数の領域に分割して読み取る複数のエリアセンサによって構成されていることを特徴とする。これにより、解像度を著しく低下させることなく、エリアセンサによる高速読み取りを可能としたのである。
【００１４】
また、前記原稿搬送手段の下方に配置された前記原稿載置台の側方には、前記ライン読取手段を収容する収容部が前記原稿載置台上のブック原稿収容部とは別に形成されている。
【００１５】
そして、前記排紙トレイの少なくとも一部には前記原稿載置台上の原稿を確認するための開口部が形成され、前記原稿載置台上に載置された原稿を上方から押さえるための押圧部材を、さらに備えるようにしたのである。
【発明の効果】
【００１６】
上記したように、本願発明に係る画像読取装置においては、ラインセンサとエリアセンサの２種類のセンサを備え、ＡＤＦにより搬送される原稿を読み取る移動原稿読取モードの場合はラインセンサを有する走査ユニットを所定の読取位置に固定して読み取り、原稿載置台の上に載置された原稿を読み取る静止原稿読取モードの場合はエリアセンサを使用して原稿を読み取るようにすることで、例えば特許文献１に記載の従来の画像読取装置のように、静止原稿読取モード時において走査ユニットを移動させるスペースを必要としないので、装置の小型化を実現できたのである。さらに、本画像読取装置においては、原稿載置台の上に載置された例えばブック原稿の読取面を上に向けてセットした状態で読み取り動作を行い、操作者は、原稿の読取面を視認することが出来るので操作性を飛躍的に向上させることができたのである。
【発明を実施するための最良の形態】
【００１７】
以下、本発明に係る画像読取装置の実施の形態について、詳しく説明する。
【００１８】
図１は、本画像読取装置の第１の実施の形態に係る全体構成の例を示す。図１において、本画像読取装置１は、単体の画像読取装置（以下、適宜「スキャナ」という）として、または複写機等の画像形成装置の読取部として使用され、原稿を搬送するＡＤＦ（原稿搬送手段）２と原稿の読み取りを行う原稿読取部３としてのスキャナとにより構成される。
【００１９】
本画像読取装置１を構成するＡＤＦ２は、読み取り前の原稿を収容する給紙トレイ４、給紙トレイ４からの原稿を反転しつつ搬送する原稿搬送手段を構成する搬送部５、読取が終了した原稿を収容する排紙トレイ６、排紙トレイ６の下方に取り付けられ、静止原稿（ブック原稿等）を読み取るエリア読取ユニット（エリア読取手段）７、給紙トレイ４上の原稿の有無を検出するエンプティセンサ８、そして、原稿読取時に原稿に光を照射するフラッシュライト（図３）を備える。
【００２０】
また、本画像読取装置１を構成する搬送部５は、給紙トレイ４からの原稿を繰り出す繰り出しローラ１０、繰り出した原稿を給送する給紙ローラ１１、さらに原稿を下流側に搬送する第１搬送ローラ対１２、第２搬送ローラ対１３、読取位置ＲＰで読み取られた原稿を排出する第１排紙ローラ対１４、第２排紙ローラ対１５とで構成され、搬送部の各ローラはモータ（図３）により駆動される。
【００２１】
ところで、本画像読取装置１におけるエリア読取ユニット（エリアセンサ）７は、排紙トレイ６の下方にその画像読取面を下向きにしたので、例えばブック原稿の読取面を上向きにセットした状態で読み取ることができるので、操作者は、原稿載置台１６にセットしたとき当該原稿の読取面を目視できる。また、エリア読取ユニット７は、図２に示すように、第１、第２、第３、第４エリアセンサ（いずれもカラー読取センサで、Ｒ、Ｇ、Ｂの３画素が２次元で配列された面読取センサ）７ａ、７ｂ、７ｃ、７ｄ、各エリアセンサに対応した第１乃至第４のレンズ（広角レンズ）９ａ、９ｂ、９ｃ、９ｄを備え、原稿載置台１６の読み取りエリアを４分割して読み取るようになっている。このようにして４つに分割されて読み取られた画像データの各読取エリアのつなぎ目は、本画像読取装置１の制御部（図３）を構成する画像合成部、第１乃至第４のエリアセンサが取得した画像データを合成する処理において行われることとなる。
【００２２】
このように、本画像読取装置１における静止原稿読取モードにおいては、エリア読取ユニット７の読取エリアを複数に分割し、個々のエリアセンサ７ａ、７ｂ、７ｃ、７ｄが、各エリアセンサに対応する夫々のエリアレンズ９ａ、９ｂ、９ｃ、９ｄで収集された複数に分割された画像データを読み取りを行うことで、エリアセンサ７及びエリアレンズ９と原稿との間の距離を短くすることができ、装置１のサイズの薄型化を図れる。また、これによりエリアレンズ９の中心から外側になるほど大きい画像歪を小さすることができるので、取得する画像の画質向上を実現できるのである。
【００２３】
ところで、上記した本発明の実施例では、読取エリアを４つに分割した構成に付いて説明したが、読取エリアを分割せずに一つのエリアセンサにより原稿のエリアの画像を読み取るようにしても良いし、読取エリアを４分割以外の２分割、６分割又は８分割にして原稿を読み取るように構成しても良い。
【００２４】
また、ライン読取ユニット１８及びエリア読取部７を含む読取部３は、樹脂や金属で形成されたフレーム１７、ＡＤＦ２で搬送される原稿の読み取りを行うライン読取ユニット１８、ブック原稿の読取面を上方から押さえるためのガラス又はプラスチック等で構成される透明又は半透明の原稿押圧板１９、そして、ＡＤＦ２により搬送される移動原稿を所定の読取位置ＲＰで読み取るラインセンサ２１及び読取位置ＲＰに取り付けられるプラテン２０等により構成されている。
【００２５】
このように、本画像読取装置１においては、ラインセンサ２１とエリアセンサ７の２種類のセンサを備え、ＡＤＦ２により搬送される原稿を読み取る移動原稿読取モードの場合はラインセンサ２１を所定の読取位置ＲＰにおいて読み取り、原稿載置台１６の上に載置された原稿を読み取る静止原稿読取モードの場合は、エリアセンサ７を使用してブック原稿等を読み取るようにしたのである。これにより、従来の画像読取装置の如く静止原稿読取モード時において走査ユニットを移動させるスペースを必要としないので、装置の小型化を実現できたのである。
【００２６】
尚、原稿載置台６には、図２において説明するように、原稿の載置位置を案内するための原稿突当部２７ａ、２７ｂを設けて、操作者は、例えばブック原稿のエッジをこの原稿突当部２７ａ、２７ｂに当接させて載置する。
【００２７】
図２は、本画像読取装置１を上方から見た平面配置構成を説明するものである。図２に示すように、本画像読取装置１は、原稿の読取を開始するスタートボタン２２、カラー／モノクロモードの選択ボタン、画像読み取りの倍率、画像データの濃度選択等を設定するためのタッチパネル２３が装置上面に取り付けられ、ＡＤＦ２のヒンジを受けるためのヒンジ受部２４ａ、２４ｂを備えている。
【００２８】
原稿読取部３は、プラテン２０とライン読取ユニット１８を有し、ライン読取ユニット１８は、原稿に光を照射するランプと、原稿からの光を反射するミラー、ミラーからの光を集光する読取エリア毎のレンズそしてレンズで集光された光を光電変換するためのラインセンサ２１とで構成され、ラインセンサ２１はカラー原稿の読取ができるようにＲ、Ｇ、Ｂ、Ｂ／Ｗの４本のラインセンサで構成されている。
【００２９】
尚、本画像読取装置１のフレームは、図１に示すように、ラインセンサ２１（ライン読取ユニット１８）を密閉収容するための読取ユニット収容部２５と、ブック原稿など手置きの原稿を収容するためのブック原稿収容部２６とに分割され、ブック原稿収容部２６は、密閉されていない開放空間である。ブック原稿収容部２６のフレーム底面１７の上面は、ブック原稿を載置するための原稿載置台１６となっており、図２の斜線部で示すように、原稿載置台１６のフロント側および右側には原稿端部をつきあてるための突当部材２７ａ、２７ｂが設けられ、原稿は右手前側を基準に合わせて載置する。
【００３０】
原稿押圧板（図１の符合１９）は手動で原稿の上に置くようにしても構わないが、ブック原稿を原稿載置台１６上に載置した後、ＡＤＦ２を閉じるとＡＤＦ２の重量で下方に押し下げられるような構成とすると良い。
【００３１】
ＡＤＦ２は、ヒンジ受部２４ａ、２４ｂが形成された本装置１のフレームのリヤ側（図２の上側）上面が読取ユニット収容部上面で支持されている。読取ユニット収容部とブック原稿収容部とを区分する壁を作り読取ユニット収容部を作ることで、フレームの剛性を向上させ、重量があるＡＤＦ２を支持させるようにしている。
【００３２】
図３は、本画像読取装置における制御部の構成をブロック図として表したものである。図３において、ＣＰＵ（制御手段）は、その内部に設けられたＲＯＭに記憶された動作プログラムに基づいて本画像読取装置全体の制御を司るものである。ＣＰＵには、ＲＯＭのほか可変データや演算途中のデータを一時的に格納するＲＡＭが内蔵されている。また、ＲＯＭ内には、上記した本装置の動作プログラムの他、固定データを記憶する。
【００３３】
本画像読取装置には、給紙トレイ上の原稿を所定の読取位置に経由させて排紙トレイ上に搬送する原稿搬送手段（図１の符合２）から搬送される移動原稿を読み取るライン読取ユニット（ライン読取手段、図１の符合１８）と、原稿載置台（図１の符合１６）の上に載置された静止原稿を上方から読み取るエリア読取ユニット（図１の符合７ａ、７ｂ等）と、を備える。ここで、エリア読取ユニット７は、第１エリアセンサ７ａ、第２エリアセンサ７ｂ、第３エリアセンサ７ｃ及び第４エリアセンサ７ｄを有し、これらのエリアセンサには、各エリアセンサから出力された電荷をデジタル信号に変換するＡ／Ｄ変換器（図３における「Ａ／Ｄ」）が接続されている。これらのＡ／Ｄ変換機でデジタル変換されたデジタル信号は、各画処理部でシェーディング補正やガンマ補正などの画処理が施された後、画像合成部へ送られる。この画像合成部では、各エリアセンサ間のつなぎ目の画像を周辺画素データから形成処理するなどして、合成された画像のつなぎ目の処理を行ったのち、第１乃至第４エリアセンサからのデータを一枚の画像データとして合成し、合成された画像データはインターフェースを介して本装置１の外部（例えば、複写機等の画像形成装置）へ送信される。
【００３４】
また、本装置１における他方の画像読取手段であるライン読取ユニット１８内のラインセンサ（ライン読取手段、図１の符合２１）には、当該ラインセンサ２１から出力された画像信号である電荷をデジタル信号に変換するＡ／Ｄ変換器（「Ａ／Ｄ」）が接続され、このＡ／Ｄ変換機でデジタル変換されたデジタル信号は、画処理部でシェーディング補正やガンマ補正などの画処理が施された後インターフェースを介して本装置の外部（例えば、複写機等の画像形成装置）へ送信されることとなる。
【００３５】
図４は、図１に示した本画像読取装置１の第１の実施の形態の制御フローを説明するものである。図４において、本装置１の操作者によってスタートボタンが起動されると（Ｓ１１）、エンプティセンサ（図１の符合８）により給紙トレイ４上に原稿が載置されているか否かが検知され（Ｓ１２）、原稿が載置されていることが検出されると、ＡＤＦ２で搬送される原稿の読取を行う移動原稿読取モードとなり（Ｓ１３）、ＡＤＦ２のモータを駆動させることにより搬送部の繰り出しローラ１０、給紙ローラ１１、第１搬送ローラ対１２及び第２搬送ローラ対１３を回転させて給紙トレイ４上の原稿の搬送を開始する（Ｓ１３）。次に、ライン読取ユニット１８内のランプを点灯させた後（Ｓ１４）に、ラインセンサ２１により読取位置ＲＰを通過する原稿を主走査方向にスキャニングすることにより読み取りを行い（Ｓ１５）、搬送される原稿の全領域の読み取りが終わると、原稿は排紙トレイ６上に排出され、ＡＤＦ２のモータを停止させて読み取りは終了する（Ｓ１６）。
【００３６】
一方、上記したようにスタートボタン押された（Ｓ１１）後、エンプティセンサ８で給紙トレイ４上に原稿がない場合は、本画像読取装置１は、静止原稿読取モードとなり、各エリアセンサ手段内のフラッシュライトにより原稿載置台１５上の原稿に光を照射し、その反射光を第１乃至第４エリアセンサ７ａ、７ｂ、７ｃ、７ｄにより静止原稿各エリアの画像読み取りを行う（Ｓ１７）のである。
【００３７】
図５は、図１に示した排紙トレイ６の構成を説明するものである。図５に示すとおり、排紙トレイ６には、ＡＤＦ２を閉じた状態で原稿載置台１６上の原稿の読取面を操作者が確認できるよう、少なくともその一部に透明又は半透明な領域（窓）３１ａ、３１ｂを形成した。本実施の形態では、当該窓３１ａ、３１ｂは、二つ設けられており、各エリアセンサ７ａ、７ｂ、７ｃ及び７ｄの領域を避けて、排紙トレイ６のフロント側と概ね中央位置にそれぞれ設けたが、排紙トレイ６全体を透明部材又は半透明部材で形成してもよく、また当該窓３１ａ、３１ｂを単に開口として何も設けず、この開口から直接原稿を視認できるようにしても構わない。これにより、本画像読取装置１に操作者は、例えばブック原稿を読み取る場合に、ブック原稿の読取面を視認しながら読取操作を行うことが出来るので、操作性が向上したのである。
【００３８】
図６は、本画像読取装置の第２の実施形態を示すものである。図６に示した本画像読取装置の実施の形態においては、ＡＤＦ２によって読み取られた原稿が排紙される排紙トレイ３０が、エリア読取ユニット（図１の符合７）によって読み取られる静止原稿の原稿載置台を兼ねるように構成されている。
【００３９】
そして、本実施の形態においては、エリア読取ユニット７が給紙トレイの下方で排紙トレイの上方に取り付けられている点、さらに第１排紙ローラ対と第２排紙ローラ対との間に原稿の後端を検出する排紙センサを有している点である。
【００４０】
この場合は、排紙トレイ（原稿載置台）上の静止原稿の読取面を確認できるよう、給紙トレイの一部に窓を形成するようにしても良い。
【００４１】
尚、本第２の実施の形態においては、排紙トレイ３０が原稿載置台を兼ねているので、この排紙トレイ３０上に原稿の載置位置を案内するための原稿突当部２７ａ、２７ｂを設ける。
【００４２】
図７は、図４に示した本画像読取装置の第２の実施形態の制御フローを説明するものである。図７において、本装置１の操作者によってスタートボタンが起動されると（Ｓ２１）、エンプティセンサ（図１の符合８）により給紙トレイ４上に原稿が載置されているか否かが検知され（Ｓ２２）、ここで原稿が載置されていることが検出されると、ＡＤＦ２で搬送される原稿の読取を行う移動原稿読取モードとなる。そして。本実施の形態の場合においては、ここで、操作者によるタッチパネルの操作により、原稿の片面読取か又は両面読取かを判断し（Ｓ２３）、片面モード読取の場合は、ＡＤＦ２のモータを駆動させることにより搬送部の繰り出しローラ１０、給紙ローラ１１、第１搬送ローラ１２及び第２搬送ローラ１３を回転させて給紙トレイ４上の原稿の搬送を開始する（Ｓ２４）。次に、ライン読取ユニット１８内のランプを点灯させた後（Ｓ２５）に、ラインセンサ２１により読取位置ＲＰを通過する原稿を主走査方向にスキャニングすることにより読み取りを行い（Ｓ２６）、搬送される原稿の全領域の読み取りが終わると、原稿は原稿載置台を兼ねる排紙トレイ（図６の符合３０）上に排出され、ＡＤＦのモータを停止させて読み取りは終了する（Ｓ２７）。
【００４３】
ところが、上記ステップＳ２３において、原稿の両面読取モードが選択されていた場合には、上記した片面モードと同様にラインセンサ２１で原稿表面の読取を行った（Ｓ２８乃至３０）後に、排紙センサで原稿の後端が検出された（Ｓ３１）後の所定時間経過後（原稿が排紙トレイ上に完全に排出されて静止した後）に、今後は、エリア読取ユニット（エリアセンサ）で原稿の裏面の画像読み取りを行い（Ｓ２６）、ＡＤＦ２のモータを停止させて終了となる。これにより、本実施の形態においては、原稿の両面を読み取ることができるのである。
【００４４】
一方、図７に示すように、スタートボタン押された（Ｓ２１）後、エンプティセンサ８で給紙トレイ４上に原稿がない場合（Ｓ２２）には、本画像読取装置１は、静止原稿読取モードとなり、各エリアセンサ手段内のフラッシュライトにより原稿載置台１５上の原稿に光を照射し、その反射光を第１乃至第４エリアセンサ７ａ、７ｂ、７ｃ、７ｄにより静止原稿各エリアの画像読み取りを行うのである（Ｓ３４）。
【００４５】
上記したように、本画像読取装置１においては、ラインセンサ２１とエリアセンサ７の２種類のセンサを備え、ＡＤＦ２により搬送される原稿を読み取る移動原稿読取モードの場合はラインセンサ２１を有する走査ユニットを所定の読取位置に固定して読み取り、原稿載置台１６、３０の上に載置された原稿を読み取る静止原稿読取モードの場合はエリアセンサ７を使用して原稿を読み取るようにすることで、従来の画像読取装置のように、静止原稿読取モード時において走査ユニットを移動させるスペースを不要にして装置の小型化を実現できたのである。さらに、本画像読取装置１においては、原稿載置台１６、３０の上に載置された例えばブック原稿の読取面を上に向けてセットした状態で読み取り動作を行い、操作者は、原稿の読取面を視認することが出来るので操作性を飛躍的に向上させることができたのである。
【産業上の利用可能性】
【００４６】
本発明は、ＡＤＦ２により搬送される移動原稿を読み取る移動原稿読取モードと原稿載置台１６、３０の上に載置された原稿を読み取る静止原稿読取モードとを有する画像読取装置の高速度化と高精度読み取り両立させつつ操作者の操作性を向上させるものであり、産業上の利用可能性を有するものである。
【図面の簡単な説明】
【００４７】
【図１】本画像読取装置の第１の実施の形態に係る全体構成の例を示す。
【図２】本画像読取装置１を上方から見た平面配置構成を説明するものである。
【図３】本画像読取装置における制御部の構成をブロック図として表したものである。
【図４】図１に示した本画像読取装置１の第１の実施の形態の制御フローの例を説明するものである。
【図５】図１に示した排紙トレイ６の構成を説明するものである。
【図６】本画像読取装置の第２の実施形態を示すものである。
【図７】図４に示した本画像読取装置の第２の実施形態の制御フローを説明するものである。
【符号の説明】
【００４８】
１：本発明に係る画像読取装置
２：原稿搬送部（ＡＤＦ）
３：原稿読取部
４：給紙トレイ
６：排紙トレイ（第１の実施形態）
７：静止原稿用のエリア読取ユニット
７ａ：第１エリアセンサ
７ｂ：第２エリアセンサ
７ｃ：第３エリアセンサ
７ｄ：第４エリアセンサ
９ａ：第１エリアセンサ用のレンズユニット
９ｂ：第２エリアセンサ用のレンズユニット
９ｃ：第３エリアセンサ用のレンズユニット
９ｄ：第４エリアセンサ用のレンズユニット
１６：原稿載置台
１８：移動原稿用のライン読取ユニット
２０：プラテン（移動原稿読取用）
２１：ラインセンサ（移動原稿読取用）
２３：タッチパネル（操作パネル）
２７ａ、２７ｂ：突当部（静止原稿用）
３０：排紙トレイ（第２の実施形態、原稿載置台兼用）
【図１】
2008258736.tif 000003
【図２】
2008258736.tif 000004
【図３】
2008258736.tif 000005
【図４】
2008258736.tif 000006
【図５】
2008258736.tif 000007
【図６】
2008258736.tif 000008
【図７】
2008258736.tif 000009